(57)【特許請求の範囲】
【請求項１】
ユーザエンティティ（ＵＥ）が少なくともサービングノード（Ｂ１）及び非サービングノード（Ｂ２）によって受信可能なデータを送信する方法であって、
前記ユーザエンティティ（ＵＥ）が、サービングノード（Ｂ１）から所与のシグナリングレートで送信する許可を前記ユーザエンティティに付与する第１の信号（ＡＢＳ  ＧＲＮＴ  Ｅ−ＡＧＣＨ）（４、６）を受信するように構成され、
前記ユーザエンティティ（ＵＥ）が、非サービングノード（Ｂ２）から前記ユーザエンティティにそのシグナリングレートを制限するように指示する第２の信号（ＤＯＷＮ  Ｅ−ＲＧＣＨ）（８）を受信するように構成され、
前記ユーザエンティティ（ＵＥ）が、データパケットを送信し、前記サービングノード（Ｂ１）によって付与されたシグナリングレートを使用することに満足していることを示す第３の信号（ＨＡＰＰＹ、７）をデータパケット送信に関連付けるように構成され、
前記ユーザエンティティ（ＵＥ）が、前記サービングノード（Ｂ１）によって現在許可されているよりも高いシグナリングレートを使用する許可を付与されることを望んでいることを示す第４の信号（ＮＯＴ  ＨＡＰＰＹ、１、９）をデータパケット送信に関連付けるように構成され、
前記ユーザエンティティが、前記ユーザエンティティが前記サービングノードによって付与されたシグナリングレートより下にそのシグナリングレートを制限したことを示すシグナリングレート制限信号（ＵＥ  ＲＡＴＥ  ＬＭＴ、９’）を前記サービングノード（Ｂ１）に対して発行するように構成され、
前記ユーザエンティティが、非サービングノード（Ｂ２）から前記ユーザエンティティにシグナリングレートを制限するように要求する信号（ＤＯＷＮ  Ｅ−ＲＣＧＨ、８）を受信したと判定した時に前記ユーザエンティティが前記シグナリングレート制限信号（ＵＥ  ＲＡＴＥ  ＬＭＴ、９’）を発行し、
前記ユーザエンティティ（ＵＥ）が、前記ユーザエンティティからのデータ伝送が前記非サービングノード（Ｂ２）をもはや擾乱しないことを示す特定の信号（Ｅ−ＲＧＣＨ  ＣＥＡＳＥ、１４）を受信した時に前記シグナリングレート制限信号を発行させる原因になった状態の終了（９”）を判定する、方法。
【請求項２】
前記ユーザエンティティ（ＵＥ）が送信電力の不足（７’）を判定した時に、前記レート制限信号（ＵＥ  ＲＡＴＥ  ＬＭＴ、９’）が発行される、請求項１に記載の方法。
【請求項３】
前記ユーザエンティティ（ＵＥ）が、前記ＵＥがシグナリングレートを制限したことを示す信号（ＵＥ  ＲＡＴＥ  ＬＭＴ、９’）を前記ユーザエンティティに発行させる状態の終了（９”、１５’）を示す信号（ＵＥ  ＲＡＴＥ  ＬＭＴ  ＣＥＡＳＥ、１５、１５’）を発行するように構成された、請求項１又は２に記載の方法。
【請求項４】
ＨＳＵＰＡ伝送のために非サービングノードＢとして動作するように構成されたノードＢのための方法であって、干渉レベルが第１のレベルに達した時に非サービングノードＢとしての役割を有するノードＢがＤｏｗｎ信号（８）をユーザエンティティ（ＵＥ）に発行するように構成され、
前記干渉レベルが前記第１のレベルより下の第２のレベルに改善された（９”）時に、前記非サービングノードＢ（Ｂ２）が前記干渉状態の終了を示す信号（Ｅ−ＲＧＣＨ  ＣＥＡＳＥ、１４、１５’）を前記ユーザエンティティに送信することを特徴とする方法。
【請求項５】
前記干渉状態の終了を示す信号（１４）が、前記Ｅ−ＲＧＣＨ上でユーザエンティティ（ＵＥ）に対して発行される、請求項４に記載のノードＢのための方法。
【請求項６】
前記干渉状態の終了を示す信号（１５’）が、ｌｕｒ／ｌｕｂインタフェースを介して無線ネットワークコントローラＲＮＣ上でサービングノードに対して発行される、請求項４に記載のノードＢのための方法。
【請求項７】
干渉状態の終了（９”）を示す追加の信号（１４）が送信されて、干渉状態の終了を示す以前に送信された信号（Ｅ−ＲＧＣＨ  ＣＥＡＳＥ、１４）をユーザエンティティ（ＵＥ）が受信しなかった状態から回復する、請求項４に記載のノードＢのための方法。
【請求項８】
ＨＳＵＰＡ伝送のために非サービングノードＢとして動作するように構成されたノードＢのための方法であって、干渉レベルが第１のレベルに達した時に非サービングノードＢとしての役割を有するノードＢがＤｏｗｎ信号（８）をユーザエンティティ（ＵＥ）に発行するように構成され、
前記非サービングノードＢ（Ｂ２）が、干渉状態の終了を示す信号（Ｅ−ＲＧＣＨ  ＣＥＡＳＥ、１４）を前記ユーザエンティティに送信し、前記非サービングノードＢが干渉状態の終了を示す前記信号を自発的に又は依頼を受けずに送信することを特徴とする方法。
【請求項９】
ＨＳＵＰＡ伝送のために非サービングノードＢとして動作するように構成されたノードＢであって、干渉レベルが第１のレベルに達した時に非サービングノードＢとしての役割を有する前記ノードＢがＤｏｗｎ信号（８）をユーザエンティティ（ＵＥ）に発行するように構成され、
前記干渉レベルが、前記第１のレベルより下の第２のレベルに改善された（９”）時に前記非サービングノードＢ（Ｂ２）が前記干渉状態の終了を示す信号（Ｅ−ＲＧＣＨ  ＣＥＡＳＥ、１４、１５’）を前記ユーザエンティティに送信することを特徴とするノードＢ。
【請求項１０】
前記干渉状態の終了を示す信号（１４）が前記Ｅ−ＲＧＣＨ上でユーザエンティティ（ＵＥ）に対して発行される、請求項９に記載のノードＢ。
【請求項１１】
前記干渉状態の終了を示す前記信号（１５’）が、ｌｕｒ／ｌｕｂインタフェースを介して無線ネットワークコントローラＲＮＣ上でサービングノードに対して発行される、請求項９に記載のノードＢ。
【請求項１２】
干渉状態の終了を示す追加の信号（１５）が送信されて、干渉状態の終了を示す以前に送信された信号（Ｅ−ＲＧＣＨ  ＣＥＡＳＥ、１４、１５’）をユーザエンティティ（ＵＥ）が受信しなかった状態から回復する、請求項９に記載のノードＢ。
【請求項１３】
ＨＳＵＰＡ伝送のために非サービングノードＢとして動作するように構成されたノードＢであって、干渉レベルが第１のレベルに達した時に非サービングノードＢとしての役割を有する前記ノードＢがＤｏｗｎ信号（８）をユーザエンティティ（ＵＥ）に発行するように構成され、
前記非サービングノードＢ（Ｂ２）が、干渉状態の終了を示す信号（Ｅ−ＲＧＣＨ  ＣＥＡＳＥ、１４）を前記ユーザエンティティに送信し、前記非サービングノードＢが干渉状態の終了を示す前記信号を自発的に又は依頼を受けずに送信することを特徴とするノードＢ。
【発明の詳細な説明】
【技術分野】
【０００１】
技術分野
本発明は、ＨＳＵＰＡ基地局及びネットワークに関する。より詳細には、本発明は、拡張アップリンクにおける相対付与シグナリング及びユーザエンティティ（ＵＥ）送信機能への対応する効果に関する。
【背景技術】
【０００２】
背景
ＷＣＤＭＡ（広帯域符号分割多元接続）仕様書のリリース６に、向上した対話、バックグラウンド及びストリーミングサービスを提供する目的で、ダウンリンク高速データパケットアクセス（ＨＳＤＰＡ）方式が提供するビットレートに合致するためにダウンリンク高速データパケットアクセス（ＨＳＤＰＡ）方式に加えて高速アップリンクパケットアクセス（ＨＳＵＰＡ）（拡張アップリンクとも呼ばれる）通信方式が定義されている。従来技術の文献３ＧＰＰ  ＴＳ  ２５．３０９、「ＦＤＤ  Ｅｎｈａｎｃｅｄ  Ｕｐｌｉｎｋ；Ｏｖｅｒａｌｌ  Ｄｅｓｃｒｉｐｔｉｏｎ；Ｓｔａｇｅ  ２」、２００６−０４−０６のバージョンＶ６．６．０に、拡張ＵＬ（アップリンク）が記載されている。
【０００３】
３ＧＰＰの参考文献ＴＳ２５．２１１及びＴＳ２５．３２１には、さらに関連するセクションがある。
【０００４】
図１に、ＨＳＵＰＡネットワークの概略（ＨＳＤＰＡ関連のチャネルは図示せず）が示されている。このネットワークは、ｌｕインタフェース又はｌｕｒインタフェース上で無線ネットワークコントローラ（ＲＮＣ、Ｓ−ＲＮＣ、Ｂ−ＲＮＣ）と通信するコアネットワークと、共にＥＵＬスケジューラユニットを備える第１の基地局であるノードＢ（Ｂ１）及び第２の基地局であるノードＢ（Ｂ２）とを備える。ＥＵＬスケジューラ（ＥＵＬ＿ＳＣＨ）は、ＭＡＣ−ｅスケジューラとも呼ばれ、それぞれのｌｕｂインタフェース上でＲＮＣと通信する。
【０００５】
以下のＨＳＵＰＡチャネルがエアインタフェース上で送信される。それらは、ＭＡＣ−ｅスケジューラからＵＥへ向けて絶対付与シグナリングを搬送するＥ−ＡＧＣＨ、相対付与シグナリングのためのＥ−ＲＧＣＨ、ＵＥへ送信されたデータの復号化のノードＢからの肯定応答フィードバックを搬送するＨＩＣＨ、送信電力制御（ＴＰＣ）コマンドを搬送する専用物理チャネル（ＤＰＣＨ）又はフラクショナルＤＰＣＨ、ＭＡＣ−ｅペイロードを搬送する拡張ＤＰＤＣＨ（Ｅ−ＤＰＤＣＨ）及びＭＡＣ−ｅの制御シグナリングを搬送する拡張ＤＰＣＣＨ（Ｅ−ＤＰＣＣＨ）である。
【０００６】
ノードＢ１は、この例ではサービングセルに対応し（Ｅ−ＡＧＣＨはサービングセルからだけ送信される）、ノードＢ２は、非サービングセルに対応する。
【０００７】
上記の文献３ＧＰＰ  ＴＳ  ２５．３０９ＦＤＤ、拡張アップリンク概要には、拡張アップリンク機能の概要が記載されている。
【０００８】
また、従来技術の文献「Ｈｉｇｈ  Ｓｐｅｅｄ  Ｕｐｌｉｎｋ  Ｐａｃｋｅｔ  Ａｃｃｅｓｓ  （ＨＳＵＰＡ）；Ｗｈｉｔｅ  Ｐａｐｅｒ，  ａｐｐｌｉｃａｔｉｏｎ  ｎｏｔｅ  １ＭＡ９４」、Ｒｏｈｄｅ  Ｓｃｈｗａｒｚ、０１．２００６には、ＨＳＵＰＡの概要が記載されている。
【０００９】
ＨＳＵＰＡ仕様書によれば、拡張専用チャネル（Ｅ−ＤＣＨ）高速アップリンクトランスポートチャネルは、短い伝送時間間隔（ＴＴＩ）、ソフトリコンバイニングを備える高速ハイブリッド自動再送要求（ＡＲＱ：Ａｕｔｏｍａｔｉｃ  Ｒｅｐｅａｔ  Ｒｅｑｕｅｓｔ）、遅延低減のための高速スケジューリング、増大したデータレート及び増大した容量などのいくつかの新しい機能を提供する。
【００１０】
ＵＥがノードＢとの通信を確立している時には、設定手順は、例えば、ＴＣＰを用いたインターネットページのダウンロード／サーフィンなどのＨＳＤＰＡセッションによって実行される。ユーザエンティティの能力に応じて、これは、ＨＳＤＰＡダウンリンクチャネル上でＴＣＰメッセージを送信するノードＢがＥ−ＤＣＨアップリンク上のノードＢへのＴＣＰ肯定応答を受信するＨＳＵＰＡ送信を含むことがある。ノードＢはどのペースでＵＥがＥ−ＤＣＨ上で送信すべきかを決定又はスケジューリングするので、ノードＢはＥ−ＡＧＣＨを用いてそのスケジューリング決定を搬送する。ＴＣＰデータセグメントがダウンリンクで送信されるまでの時間から応答としてのＴＣＰ肯定応答がアップリンクで送信されるまでの時間の間で測定した遅延が短縮され、その結果、ＴＣＰレイヤの予想往復時間が短縮され、ファイル転送のダウンロード時間が低減した。
【００１１】
ユーザエンティティがノードＢとの間にＨＳＵＰＡサービスを使用することができるようにする手順中に、ユーザエンティティは、ダウンリンクトラフィックを受信するＥ−ＡＧＣＨ符号について報知される。このために、セル内の共用チャネルであるＥ−ＡＧＣＨがＲＲＣ（無線リソース制御）プロトコルを介して使用される。
【００１２】
Ｅ−ＡＧＣＨチャネルは、ＮＢＡＰ（ノードＢアプリケーション部）シグナリングプロトコルを介してＲＮＣとの構成又は再構成手順でノードＢに対して構成されている。
【００１３】
ノードＢのＭＡＣ−ｅスケジューラは、「絶対付与」、すなわち、アップリンク上で所与のビットレートで送信する権利をユーザエンティティに付与するメッセージをダウンリンクＥ−ＡＧＣＨチャネル上で発行する。帯域幅の需要は時間の経過と共に動的に変化するので、帯域幅が無駄に消費されないようにユーザエンティティによる電力放散が迅速に調整されることが有益である。
【００１４】
Ｅ−ＡＧＣＨは、１個〜数個のチャネル化符号（現在、最大４）を有するように定義することができる。
【００１５】
サービングノードＢの問題は、どのＵＥに対して伝送速度をスケジューリングする責任があるかという情報を完全には有していないということである。サービングノードＢ内のこの知識の不足の結果、ノードＢと空中の両方でリソースの利用が最適でなくなることがある。
【００１６】
上記の問題を例示するために、図１に示すＵＥ、サービングノードＢ、及び非サービングノードＢ並びに図３のハンドシェイク図を含むケースを考える。一般のケースでは、ＵＥは、複数の非サービングノードＢに接続することができることに留意されたい。さらに、このＵＥのエンドユーザは、情報をインターネットに、例えば、写真画像をデータリポジトリにアップロードすることから始めると考える。
【００１７】
ＵＥは、ｈａｐｐｙビット（ｎｏｔ  ｈａｐｐｙにセットされた）を介してＳＩフィールド又はＥ−ＤＰＣＣＨによりＥ−ＤＣＨ上でサービングノードＢへスケジューリング要求を送信する（１）ことから始める。ノードＢは、ＵＥが３２ｋｂｐｓで送信することを許可するＥ−ＡＧＣＨ上の絶対付与を送信する（２）。ＵＥは任意のレートでデータを送信する（３）ことから始めるが、データレートを増大させるためにアウトバンドＥ−ＤＣＨ制御シグナリングフィールド内でｎｏｔ  ｈａｐｐｙを通知する（３）。
【００１８】
サービングノードＢは、ＵＥが１２８ｋｂｐｓで送信する（５）ことを許可するＥ−ＡＧＣＨを送信する（４）。しかし、ＵＥは、付与されたデータレートについて依然としてｎｏｔ  ｈａｐｐｙであり、このことをメッセージで通知する（５）。次に、サービングノードＢはＵＥに４７０ｋｂｐｓを付与し（６）、ＵＥはこのデータレートで送信する（７）。
【００１９】
この段階で、非サービングノードＢは、干渉状態が大きすぎると判断し、ブロードキャスト過負荷表示（８）、すなわち、値Ｄｏｗｎを含むＥ−ＲＧＣＨチャネル上の信号を送信する。
【００２０】
ＵＥは、Ｄｏｗｎ信号を受信し（８）、そのレートを１２８ｋｂｐｓに低減する（９）。サービングノードＢは、ＵＥが「ｎｏｔ  ｈａｐｐｙ」を通知する（９）が、ＵＥは許可されたレートよりも低いレートで送信することを検出する。
【００２１】
サービングノードＢについて以下の問題がある。
１）ＵＥは、非サービングノードＢからＤｏｗｎを受信したか、またそれが付与されたレートより低い受信側復号化レートをサービングノードＢが検出する理由か？
２）ＵＥは、４７０ｋｂｐｓのレートを許可する以前のＥ−ＡＧＣＨを復号化できなかったか？
３）より低いレートは、例えばＵＥの一時的な電力の問題に関連した問題か？
【００２２】
ノードＢで上記のケース１、２又は３が発生したか否かに関わらず、ノードＢは早晩新しい絶対付与を送出する必要がある。上記のケース２は、ＵＥが１２８ｋｂｐｓで送信中に依然としてｕｎｈａｐｐｙであることの理由になり得る。ケース１が発生した場合、干渉状態もすぐに改善されるであろう。
【００２３】
したがって、ステップ９の後で、サービングノードＢは、ＵＥが遵守する（１１）、４７０ｋｂｐｓで送信する（１０）ことを許可する新しい絶対付与を送出する。
【００２４】
非サービングセルの場合、１２８ｋｂｐｓは限界値であるため、ｄｏｗｎを送信する（１２）。ＵＥは、そのレートを１２８ｋｂｐｓに調整し（１３）、「Ｎｏｔ  ｈａｐｐｙ」を表示する。
【００２５】
図から分かるように、ブロードキャスト過負荷表示（８）によって、ＵＥレートが増大−減少−増大する切り替わり状態が発生し、それによって、すべての非サービングセル又はサービングセルの付近にある任意のセル内に深刻な干渉が発生することがある。
【発明の概要】
【００２６】
本発明の第１の目的は、ＨＳＵＰＡ対応のユーザエンティティ及び基地局のアップリンクリソース割当てを向上させることである。本発明の別の目的は、変化する干渉状態により迅速に適合することである。
【００２７】
したがって、ユーザエンティティＵＥが少なくともサービングノードＢ１及び非サービングノードＢ２によって受信可能なデータを送信する方法であって、ユーザエンティティＵＥがサービングノードＢ１から所与のシグナリングレートで送信する許可をユーザエンティティに付与する第１の信号ＡＢＳ  ＧＲＮＴ  Ｅ−ＡＧＣＨ（４、６）を受信するように構成され、ユーザエンティティＵＥが非サービングノードＢ２からユーザエンティティにそのシグナリングレートＤＯＷＮ  Ｅ−ＲＧＣＨを制限するように指示する第２の信号を受信する（８）ように構成され、ユーザエンティティＵＥが、データパケットを送信し、サービングノードＢ１によって付与されたシグナリングレートを使用することに満足していることを示す第３の信号ＨＡＰＰＹ（７）をデータパケット送信に関連付けるように構成され、ユーザエンティティＵＥが、サービングノードＢ１によって現在許可されているよりも高いシグナリングレートを使用する許可を付与されることを望んでいることを示す第４の信号ＮＯＴ  ＨＡＰＰＹ（１、９）をデータパケット送信に関連付けるように構成された方法が提供される。ユーザエンティティは、ユーザエンティティがサービングノードＢによって付与されたシグナリングレートより下にそのシグナリングレート信号を制限したことを示すシグナリングレート制限信号ＵＥ  ＲＡＴＥ  ＬＭＴ（９’）をサービングノードに対して発行するように構成されている。
【００２８】
言い換えれば、所与のＵＥの現在のスループットの制限に関する表示がサービングノードＢに提供される。サービングノードＢが現在のＵＥのスループットの制限に関する知識を有している時には、サービングノードＢは、非サービングノードＢに対して干渉状態が改善されるまでレートを増大させないことができる。
【００２９】
上記目的は、ＨＳＵＰＡ伝送のために非サービングノードＢとして動作するように構成されたノードＢのための方法であって、干渉レベルが第１のレベルに達した時に非サービングノードＢとしての役割を有するノードＢがＤｏｗｎ信号（８）を発行するように構成され、干渉レベルが第１のレベルより下の第２のレベルに改善された（９”）時に非サービングノードＢ（Ｂ２）が干渉状態の終了を示す信号Ｅ−ＲＧＣＨ  ＣＥＡＳＥ（１４、１５’）を送信する方法によっても達成される。
【００３０】
干渉状態の終了を示す追加の信号（９”）が送信されて、干渉状態の終了を示す以前に送信された信号Ｅ−ＲＧＣＨ  ＣＥＡＳＥ（１４）をＵＥが受信しなかった状態から回復するノードＢのための方法がさらに提供される。
【００３１】
ＨＳＵＰＡ伝送のために非サービングノードＢとして動作するように構成されたノードＢのための方法であって、干渉レベルが第１のレベルに達した時に非サービングノードＢとしての役割を有するノードＢがＤｏｗｎ信号（８）を発行するように構成され、非サービングノードＢ（Ｂ２）が干渉状態の終了を示す信号Ｅ−ＲＧＣＨ  ＣＥＡＳＥ（１４）を送信し、非サービングノードＢが干渉状態の終了を示す信号を自発的に又は依頼を受けずに送信する方法がさらに提供される。
【００３２】
さらに、上記の方法を実行するように構成されたユーザエンティティ及びノードＢの装置が提供される。
【００３３】
本発明によれば、サービングノードＢ配下のセル内のＵＥ妨害が低減又は回避される。さらに、本発明によれば、不要な過剰な信号レート割当てが回避されるためにノードＢ内でハードウェアリソースの需要を低減することができる。サービングノードＢ内に制限された復号リソースをより有効に割り当てることで、不要なリソース及び帯域幅も低減又は回避される。一般に、本発明によれば、上位レイヤ、例えば、ＴＣＰレイヤの予想往復時間への肯定的な効果が、変動するＵＥのシグナリングレートの制限によって達成される。
【００３４】
本発明の他の利点は、本発明の以下の詳細な説明から明らかになろう。
【図面の簡単な説明】
【００３５】
【図１】従来技術のＨＳＵＰＡネットワーク及びシグナリングの基本要素を示す図である。
【図２ａ】本発明のある実施形態による、リリース６の抜粋、タイミングＭＡＣ−ｅヘッダに関するＨＳＵＰＡ仕様書及びペイロードに基づくシグナリングフォーマットを示す図である。
【図２ｂ】図２の代替形態を示す図である。
【図３】ＵＥ、サービングノードＢ及び非サービングノードＢに関する従来技術のシナリオを示す図である。
【図４】本発明の第１の実施形態を示す図である。
【図５】本発明の別の実施形態を示す図である。
【図６】本発明の別の実施形態を示す図である。
【図７】本発明による例示的な基地局を示す図である。
【図８】本発明による例示的なユーザエンティティを示す図である。
【００３６】
本発明の好適な実施形態の詳細な説明
本発明の第１の態様
本発明の第１の実施形態によれば、所与のＵＥの現在のＵＥのスループットデータレート制限状態が、ＵＥレート制限表示のＵＥレート制限（９’）と略称される新しいアップリンク制御情報メッセージを介してサービングノードＢに通知される。
【００３７】
本発明の第１の実施形態による例示的なシナリオを示す図４では、本発明によるＵＥは、非サービングノードＢからＤｏｗｎ信号Ｅ−ＲＧＣＨ（８）を受信し、ＵＥに伝送速度を調整させる。例えば、ステップ１〜８は、図３に関連して説明するステップに対応する。
【００３８】
この例では、ＵＥは、１２８ｋｂｐｓのデータレートを示すＵＥレート制限信号（９’）をサービングノードＢへ送信する。この信号を発行し、ＵＥが現在の最大送信データレートを制限することで、ＵＥは、サービングノードＢがＵＥレート制限信号の内容によって定義される現在の最大レートを超えるレートを付与することを一時的に回避するように、この状態をサービングノードＢに報知する。
【００３９】
その結果、サービングノードＢは、ＵＥレート制限信号内の表示されたレートより高いレートで送信する許可をＵＥに与えることを回避する。所与のノードＢのスケジューラは、当該ＵＥについて１２８ｋｂｐｓを超えるレートにリソースを割り当てないことでこの状態を利用する。図３の状態とは対照的に、絶対付与信号１０は発行されない。
【００４０】
言い換えれば、ユーザエンティティＵＥが、少なくともサービングノードＢ１及び非サービングノードＢ２によって受信可能なデータを送信する方法であって、ユーザエンティティＵＥがサービングノードＢ１から所与のシグナリングレートで送信する許可をユーザエンティティに付与する第１の信号ＡＢＳ  ＧＲＮＴ  Ｅ−ＡＧＣＨ（４、６）を受信するように構成され、ユーザエンティティＵＥが非サービングノードＢ２からユーザエンティティにそのシグナリングレートを制限するように指示する第２の信号ＤＯＷＮ  Ｅ−ＲＧＣＨ（８）を受信するように構成され、ユーザエンティティＵＥが、データパケットを送信し、サービングノードＢ１によって付与されたシグナリングレートを使用することに満足していることを示す第３の信号ＨＡＰＰＹ（７）をデータパケット送信に関連付けるように構成され、ユーザエンティティＵＥが、データパケットを送信し、サービングノードＢ１によって現在許可されているよりも高いシグナリングレートを使用する許可を付与されることを望んでいることを示す第４の信号ＮＯＴ  ＨＡＰＰＹ（１、９）をデータパケット送信に関連付けるように構成された方法が提供される。ユーザエンティティは、ユーザエンティティがサービングノードＢによって付与されたシグナリングレートより下にそのシグナリングレート信号を制限したことを示すシグナリングレート制限信号ＵＥ  ＲＡＴＥ  ＬＭＴ（９’）をサービングノードに対して発行するように構成されている。
【００４１】
ＵＥレート制限（９’）信号は、好ましくは、
現在復号化されている絶対付与インデックス（６ビット）と、
最大許可ＳＧ（サービング付与）インデックスと
を含むか、又は代替的に、
最大許可ＳＧ（サービング付与）インデックスのみ
を含む。
【００４２】
ＵＥは、次の送信でＵＥが使用することができる（ＵＥが感知する）最大電力比を表すサービング付与（ＳＧ）値を保持する。
【００４３】
本出願のハンドシェイク図に示されたデータ伝送速度は、ＵＥによって使用される実際の例示的なデータ伝送値である（したがって、サービング付与ＳＧ内の情報に直接対応しないこともある）ことに留意されたい。また、図中のデータレートは、ＵＥが送信する例示的なデータレートであることを理解されたい。サービング付与は最大電力比を表すインデックスとして符号化されているが、それらはＵＥが使用することができる特定のデータレートに変換することができるか、又はそのようなデータレートと解釈することができる。本発明では、シグナリングレートという用語は、データレート、あるいは電力比に使用される。
【００４４】
本発明の第１の態様によれば、シグナリングは、現在の３ＧＰＰ仕様書に対応して実施される。
【００４５】
図２に示すように、本発明の第１のオプションとして、ＭＡＣ−ｅ  ＳＩフィールドは、ＵＥレート制限（９’）（又は下記の信号１５）メッセージを含む。現在のＳＩフィールドは長さが増大しないが、ＵＥレート制限（９’）を通知することができるようにビットを復号化しなければならない。例えば、ＤＤＩ０フィールドの値４’ｂ１１１１は、ＳＩフィールドがＵＥレート制限メッセージを搬送することを示すことができる。
【００４６】
代替のオプションとして、図２ａに示すように、ＭＡＣ−ｅ  ＳＩフィールドに類似した新しいフィールドＤＤＩＮＥＷが使用される。したがって、新しいＭＡＣ−ｅ  ＤＤＩの値は、ＵＥレート制限信号を含む。
【００４７】
本発明の第２の態様
周知のように、サービングノードＢは、ＵＰ及びＤＯＷＮ命令の形式で相対付与を発行することができる。しかし、現在の３ＧＰＰによれば、非サービングノードＢがＥ−ＲＧＣＨ上で「ＵＰ」を送信することはできない。
【００４８】
本発明の第２の態様によれば、非サービングノードＢは、Ｅ−ＲＧＣＨ上で当該ＵＥへｕｐ表示を送信することができる。
【００４９】
例えば、非サービングノードＢが干渉状態のためにＵＥへＥ−ＲＧＣＨ  Ｄｏｗｎを送信した後にｕｐ表示を発行することができる。非サービングノードＢが干渉状態が第１のレベルから改善され、第２のレベルへＤｏｗｎを発行したことを検出すると、非サービングノードは、値Ｕｐを含む新しいＥ−ＲＧＣＨ信号を送信する。本発明によれば、非サービングＥ−ＲＧＣＨの新しい符号化を提供しなければならない。
【００５０】
本発明の第２の態様によれば、図４ａに示すように、ＵＥがＵｐメッセージを復号化すると、
−現在復号化されているサービング付与インデックスと、
−最大ＳＧインデックス＝無効（もはやアクティブではない）
とを含むＥ−ＲＧＣＨ  ＣＥＡＳＥと呼ばれる新しいアップリンク制御メッセージを作成し、
関連するＵＥがどれであるかは暗黙的に与えられる。何故なら、ノードＢは、常に通信先のＵＥを認識しているからである。
【００５１】
非サービングノードＢから受信されたＥ−ＲＧＣＨ  ＣＥＡＳＥは、非サービングノードＢの障害を引き起こす以前の干渉状態が終了したことを表示することができる。
【００５２】
図４を再度参照すると、本発明の第２の態様によれば、例えば、Ｅ−ＲＧＣＨ  Ｄｏｗｎ信号（８）が非サービングノードＢ（９”参照）でその後終了した過負荷信号のためであった場合に、非サービングノードＢは、Ｅ−ＲＧＣＨ  ＣＥＡＳＥ（１４）を通知する。
【００５３】
第１の実施形態の別のオプションとして、現在のスループット制限の終了時に、ＵＥは、以前に通知された制限を解除するためにＵＥレート制限終了信号（１５）を通知する。
【００５４】
例えば、さらに図４に示すように、非サービングノードＢは、過負荷状態が終了するとＥ−ＲＧＣＨ終了表示（１４）を通知する。次に、ＵＥは、１２８ｋｂｐｓで送信し、ＵＥレート制限終了信号（１５）を通知する。
【００５５】
次に、サービングノードは、例えば４７０ｋｂｐｓというより高いレートで絶対付与を付与し（１６）、ＵＥはこの付与されたレートで送信する（１７）ことができる。
【００５６】
言い換えると、ＨＳＵＰＡ伝送のために非サービングノードＢとして動作するように構成されたノードＢのための方法であって、干渉レベルが第１のレベルに達した時に非サービングノードＢとしての役割を有するノードＢがＤｏｗｎ信号（８）を発行するように構成され、干渉レベルが第１のレベルより下の第２のレベルに改善された（９”）時に非サービングノードＢ（Ｂ２）が干渉状態の終了を示す信号Ｅ−ＲＧＣＨ  ＣＥＡＳＥ（１４、１５’）を送信する方法が提供される。
【００５７】
ＵＥは、非サービングノードによって開始された以外の理由によってＵＥレート制限表示（９’）を通知し、後続の終了を通知する（１５）こともできる。
【００５８】
図５で、ＵＥ内のバッテリ電力不足／電力欠乏状態（７’）によってＵＥがフル出力電力で送信することができず、ＵＥレート制限表示信号（９’）が発行され、ＵＥの伝送速度が制限される。電力欠乏は、ＵＥが電力を一時的に他のタスクに使用しているためであるかもしれず、そのためＥ−ＡＧＣＨが示す最大許容電力での送信は防止される。ＵＥの最大出力電力は、ＵＥがＵＳＢ又はＰＣＭＣＩＡインタフェースから電源を取っている場合には、最大許容送信電力又は熱制限又は最大エネルギー消費制限などの調整項目によって変化することがあり、又はＵＥが送信のためのエネルギーを蓄積するコンデンサを使用している場合には、一時エネルギー蓄積制限によって変化することがある。
【００５９】
電力状態が改善する（１５’）と、ＵＥは、ＵＥレート制限終了表示信号（１５）を通知する。
【００６０】
本発明の第１及び第２の態様の上記シグナリングによれば、サービングノードＢ内のＥＵＬスケジューラは、実際のＵＥのスループット制限に関する知識を得ることができる。それによって、以下の効果が得られる。
【００６１】
ＵＥが例えばそのレートを増大／減少／増大させてＴＣＰなどの上位レイヤから見た往復時間に悪影響があるネットワーク内の切り替わり状態が回避される。さらに、上限レート（この例では４７０ｋｂｐｓ）まで切り替わる時の隣接するセル内のＵＥからの干渉擾乱が最小限にされる。ＵＥが引き起こす干渉擾乱は、ノードＢが所与の擾乱元ＵＥを復号化する能力に影響するだけでなく、セル内の他のすべてのＵＥを復号化する能力にも影響する。
【００６２】
さらに、ノードＢ内の復号化能力の不要な割当てが回避される。増大したレートがそれを使用することができない第１のユーザに与えられ、第１のユーザの増大したレートのために第２のユーザのレートが減少する状態を回避することでセル内の帯域幅はより有効に活用される。
【００６３】
図６に、本発明の別の実施形態が示されている。例示的なシナリオでは、図４に示したように、非サービングノードＢの過負荷状態は終了した（９”）。
【００６４】
この実施形態によれば、図１に示すように、非サービングノードＢは、ｌｕｂ／ｌｕｒインタフェース上でレート制限終了（１５’）をサービングノードに対して発行する。この信号は、好ましくは１つの値、すなわち、関連するＵＥの識別に対応するＥ−ＲＮＴＩ値のみを含む。Ｅ−ＲＮＴＩは３ＧＰＰ内にあり、「Ｅ−ＤＣＨ無線ネットワークの一時的識別子」を表す。
【００６５】
これに続くシグナリングは、ＵＥによって以前に制限されていたよりも高いデータレートで送信する許可をＵＥに付与する（１２）サービングノードＢによって決定される。
【００６６】
本発明の第２の態様によれば、非サービングノードＢは、例えば、自発的に又は依頼を受けずに終了した過負荷状態（９”）とは別の理由でＥＲＧＣＨ終了信号を送信して、例えば、ＵＥが以前のレート制限終了シグナリング（１４）メッセージを受信しなかった状態からノードＢが回復したことを通知することができる。
【００６７】
言い換えれば、干渉状態の終了を示す追加の信号（１４）が送信されてＵＥが干渉状態の終了を示す以前に送信された信号Ｅ−ＲＧＣＨ  ＣＥＡＳＥ（１４）を受信しなかった状態から回復するノードＢのための方法が提供される。
【００６８】
また、ＨＳＵＰＡ伝送のために非サービングノードＢとして動作するように構成されたノードＢのための方法であって、干渉レベルが第１のレベルに達した時に非サービングノードＢとしての役割を有するノードＢがＤｏｗｎ信号を発行する（８）ように構成され、非サービングノードＢ（Ｂ２）が干渉状態の終了を示す信号Ｅ−ＲＧＣＨ  ＣＥＡＳＥ（１４）をＥ−ＲＧＣＨ上で送信し、非サービングノードＢが干渉状態の終了を示す信号（１４）を自発的に又は依頼を受けずに送信する方法が提供される。
【００６９】
図７に、サービング基地局及び非サービング基地局として動作することができるノードＢとも呼ばれる本発明の例示的な基地局が示されている。
【００７０】
基地局は、ＲＧＣＨ／ＨＩＣＨ処理ステージ１〜ｎ、レイヤ１処理、ＡＧＣＨ処理、スケジューラ、ユーザエンティティのそれぞれのＨＡＲＱエンティティ１〜ｎを備え、各ＨＡＲＱエンティティは、各ユーザエンティティのＨＡＲＱ処理によるパケットを受信する複数のＨＡＲＱ受信機１〜ｍを備える。ノードＢは、エアインタフェース上でＥ−ＡＧＣＨ及びＥ−ＲＧＣＨチャネルを介して通信するレイヤ１処理手段をさらに備え、Ｌ１処理手段は、ＤＰＣＣＨ、Ｅ−ＤＰＣＣＨ及びＥ−ＤＰＤＣＣＨチャネル上で通信する。さらに、基地局は、ｌｕｂインタフェース上で通信するＥ−ＤＰＣＨ  ＦＰ手段を備える。ＵＥのＨＡＲＱエンティティ１〜ｎにＭＡＣ−ｅ  ＥＤＰＣＣＨ復号化手段１〜ｎが提供される。本発明によれば、本発明のノードＢに関する方法ステップは、スケジューラ内のプログラムとして実施することができる。
【００７１】
本発明によれば、ＨＳＵＰＡ伝送のために非サービングノードＢとして動作するように構成されたノードＢであって、干渉レベルが第１のレベルに達した時に非サービングノードＢとしての役割を有するノードＢがＤｏｗｎ信号（８）を発行するように構成されたノードＢが提供される。干渉レベルが第１のレベルより下の第２のレベルに改善された（９”）時に非サービングノードＢ（Ｂ２）は、干渉状態の終了を示す信号Ｅ−ＲＧＣＨ  ＣＥＡＳＥ（１４、１５’）を送信する。
【００７２】
好ましい実施形態では、干渉状態の終了を示す信号（１４）は、ＵＥに対して発行される。
【００７３】
干渉状態の終了を示す信号（１５’）は、インタフェースｌｕｒ、ｌｕｂを介して無線ネットワークコントローラＲＮＣ上でサービングノードに対して発行されてもよい。
【００７４】
さらに、干渉状態の終了を示す追加の信号（１５）が送信されてＵＥが干渉状態の終了を示す以前に送信された信号Ｅ−ＲＧＣＨ  ＣＥＡＳＥ（１４、１５’）を受信しなかった状態から回復する。
【００７５】
ＨＳＵＰＡ伝送のために非サービングノードＢとして動作するように構成されたノードＢであって、干渉レベルが第１のレベルに達した時に非サービングノードＢとしての役割を有するノードＢがＤｏｗｎ信号（８）を発行するように構成されたノードＢが提供される。非サービングノードＢ（Ｂ２）は、干渉状態の終了を示す信号Ｅ−ＲＧＣＨ  ＣＥＡＳＥ（１４）を送信する。しかし、非サービングノードＢは、干渉状態の終了（９”）を示す信号を自発的に又は依頼を受けずに、すなわち、必ずしも実際の干渉レベルに基づかず、他の理由から送信する。
【００７６】
図８に、本発明のユーザエンティティＵＥが示されている。ユーザエンティティは、図７で説明した同じチャネル上で通信するＬ１処理手段及びＭＡＣ−ｅ処理手段、ＡＧＣＨ処理、ＥＵＬ制御手段（ＥＵＬ  ｃｔｒｌ）、ＵＥに関連付けられたＨＡＲＱ処理１〜ｍのＨＡＲＱ処理ステージ１〜ｍ、及びＭＡＣ−ｅ処理手段を備える。ユーザエンティティの上位プロトコルスタックに結合されたバッファＢがさらに提供される。本発明によれば、上記のユーザエンティティに関する方法ステップは、ＥＵＬ制御手段内のプログラムとして実行される。
【００７７】
本発明によれば、少なくともサービングノードＢ１及び非サービングノードＢ２によって受信可能なデータを送信するように構成されたユーザエンティティＵＥであって、ユーザエンティティＵＥがサービングノードＢ１から所与のシグナリングレートで送信する許可をユーザエンティティに付与する第１の信号ＡＢＳ  ＧＲＮＴ  Ｅ−ＡＧＣＨ（４、６）を受信するように構成され、ＵＥが非サービングノードＢ２からユーザエンティティにそのシグナリングレートを制限するように指示する第２の信号ＤＯＷＮ  Ｅ−ＲＧＣＨ（８）を受信するように構成され、ユーザエンティティＵＥが、データパケットを送信し、サービングノードＢ１によって付与されたシグナリングレートを使用することに満足していることを示す第３の信号ＨＡＰＰＹ（７）をデータパケット送信に関連付けるように構成され、ユーザエンティティＵＥが、サービングノードＢ１によって現在許可されているよりも高いシグナリングレートを使用する許可を付与されることを望んでいることを示す第４の信号ＮＯＴ  ＨＡＰＰＹ（１、９）をデータパケット送信に関連付けるように構成されたユーザエンティティＵＥが提供される。ユーザエンティティは、ユーザエンティティがサービングノードＢによって付与されたシグナリングレートより下にそのシグナリングレート信号を制限したことを示すシグナリングレート制限信号ＵＥ  ＲＡＴＥ  ＬＭＴ（９’）をサービングノードに対して発行するように構成されている。
【図１】
0005670492.tif 000002
【図２ａ】
0005670492.tif 000003
【図２ｂ】
0005670492.tif 000004
【図３】
0005670492.tif 000005
【図４】
0005670492.tif 000006
【図５】
0005670492.tif 000007
【図６】
0005670492.tif 000008
【図７】
0005670492.tif 000009
【図８】
0005670492.tif 000010